(57)【要約】  本発明は、伝達システムのプーリのリブ付き溝にベルトを取り付けるためのツールであって、外側の面（１０１）と、内側のエッジ（１５）と、把持エッジ（１１）を形成する端部領域とを有するノーズ領域（１０）を備えており、前記把持エッジ（１１）が、取り付けの際にベルト（２０）の外側のエッジ（２３）を反対側の内側のエッジ（２４）よりも持ち上げることによってベルト（２０）の歯（２５）の少なくとも一部分のための当接部を定めることを特徴とするツールに関する。
2012514719.tif 000002
【特許請求の範囲】
【請求項１】
伝達システムのプーリのリブ付き溝にベルトを取り付けるためのツールであって、
外側の面（１０１）と、内側の側面（１５）と、捕捉エッジ（１１）を構成する端部領域とを呈するノーズ領域（１０）を呈しており、前記捕捉エッジ（１１）が、取り付けの際にベルトの外側の側面（２３）を反対側の内側の側面（２４）よりも持ち上げることによってベルト（２０）のリブ（２５）の少なくとも一部分のための当接面を形成するように機能することを特徴とするツール。
【請求項２】
前記捕捉エッジ（１１）が、半径方向（α＝０）に配置され、あるいは捕捉エッジの根元（Ａ）を通過するプーリ（１）の半径（１２）に対して角度αを形成し、該角度αが、プーリの軸に垂直な平面内で測定され、８０°未満、とくには６０°以下、さらに具体的には３０°〜４５°の範囲にあることを特徴とする請求項１に記載のツール。
【請求項３】
前記ノーズ領域（１０）の前記外側の面（１０１）が、プーリ（１）のリム（６）の外側の面（６１）に合わせられていることを特徴とする請求項１または２に記載のツール。
【請求項４】
前記ノーズ領域（１０）の前記捕捉エッジ（１１）が、平坦な頂上（１１１）を呈していることを特徴とする請求項１〜３のいずれか一項に記載のツール。
【請求項５】
前記捕捉エッジの前記頂上の領域（１１１）が、各側に凸状のエッジ（１１２、１１３）を呈していることを特徴とする請求項４に記載のツール。
【請求項６】
前記捕捉エッジ（１１）が、凸状であることを特徴とする請求項１〜３のいずれか一項に記載のツール。
【請求項７】
前記ノーズ領域（１０）の前記捕捉エッジ（１１）が、プーリ（１）のリブ付き溝（５）の幅以上の有効高さＨを有していることを特徴とする先行する請求項のいずれか一項に記載のツール。
【請求項８】
前記ノーズ領域（１０）の前記捕捉エッジ（１１）が、根元において、プーリ（１）のリブ付き溝（５）の前記エッジ（６）から低下する異形の離脱領域（３０）によって延長されていることを特徴とする請求項１〜６のいずれか一項に記載のツール。
【請求項９】
前記ノーズ領域（１０）の前記捕捉エッジ（１１）および前記離脱領域（３０）が、プーリ（１）のリブ付き溝（５）の幅以上の有効長Ｈ’を有することを特徴とする請求項８に記載のツール。
【請求項１０】
前記異形の離脱領域が、プーリの半径に対して該半径およびプーリの軸を含む第１の平面において角度β１を形成するほぼ平坦または凸状の領域を呈しており、該角度β１が、とくには３０°〜６０°の範囲にあることを特徴とする請求項８または９に記載のツール。
【請求項１１】
前記離脱領域（３０）が、少なくとも凸状の上流および／または下流エッジ（３１および／または３２）を呈していることを特徴とする請求項８〜１０のいずれか一項に記載のツール。
【請求項１２】
前記ノーズ領域（１０）および前記異形の離脱領域（３０）が、ほぼ平坦、凹状、または凸状の接続領域（３５）を呈していることを特徴とする請求項８〜１１のいずれか一項に記載のツール。
【請求項１３】
前記捕捉エッジ（１１）の上流に、プーリ（１）のリブ付き溝（５）の前記エッジ（６）の一部分に沿って延びる真っ直ぐまたは斜めの低い案内壁（１５、１６、１２０）を呈していることを特徴とする先行する請求項のいずれか一項に記載のツール。
【請求項１４】
前記ノーズ領域（１０）が、前記低い案内壁（１５、１６）を含んでいることを特徴とする請求項１３に記載のツール。
【請求項１５】
前記異形の離脱領域（３０）が、取り付けの際にベルト（２０）の外側の側面（２４）に接触してベルトの滑りを防止する横方向の迫台（１８）を自由端に呈していることを特徴とする先行する請求項のいずれか一項に記載のツール。
【請求項１６】
当該ツールが、プーリとは別個であり、プーリ（１）の側面（６）に当接する側面（８１）、およびプーリ（１）の溝（５）に当接する底面（８０、８５）と、少なくとも前記捕捉エッジ（３０）に配置され、ベルト（２０）が当接する上面（８２）とを呈する領域を有していることを特徴とする先行する請求項のいずれか一項に記載のツール。
【請求項１７】
前記当接する底面が、前記プーリ（１）のリブ付き溝（５）と対をなす外形（８０）を呈していることを特徴とする請求項１６に記載のツール。
【請求項１８】
前記プーリに一体化されていることを特徴とする請求項１〜１５のいずれか一項に記載のツール。
【請求項１９】
プーリに一体化されており、該プーリが、該プーリの前記横領域よりも小さい面積であり、該プーリの外形の内側に内接させられるオフセットされた横領域（７２）を呈しており、該オフセットされた横領域（７２）が、前記ノーズ領域（１０）の下流においてベルトの垂れ下がるストランドを受けることができるようにする高くされた外エッジ（７６）を呈することを特徴とする請求項１〜７のいずれか一項に記載のツール。
【請求項２０】
前記プーリに一体化されており、該プーリが、該プーリの前記横エッジの面積よりも小さい面積であり、該プーリの外形の内側に内接させられるオフセットされた横領域（７２）、とくには円柱形の領域を呈しており、
当該ツールが、プーリのリブ付き溝（５）の前記エッジの一部分に沿って延びる低い案内壁を形成している第１の要素（１２０）と、前記捕捉エッジ（１１１）および前記異形の離脱領域（１１６）を形成している第２の要素（１１０）とを備えており、少なくとも前記第２の要素（１１０）が、前記オフセットされた横領域（７２）によって保持され、その傍らを延びる横案内ゾーン（１０１）を有していることを特徴とする請求項１〜７のいずれか一項に記載のツール。
【請求項２１】
前記離脱領域（１１５、１１６）が、プーリ（１）のリブ付き溝（５）と半径方向における高さがほぼ同じである上流の第１の領域（１１５）と、該上流の領域を前記オフセットされた横領域（７２）に接続する中間の第２の領域（１１６）とを呈していることを特徴とする請求項２０に記載のツール。
【発明の詳細な説明】
【技術分野】
【０００１】
本発明は、ベルトを伝達システムの一部を形成しているプーリ（例えば、自動車の補機のプーリ）または機械力の伝達を必要とする任意の工業装置に取り付けるためのツールに関する。
【背景技術】
【０００２】
この取り付けツールは、さらに詳しくは、例えばはめ込みによって取り付けられ、動作時に充分な張力を維持することができ、そのような張力を伝達装置の予定の寿命の全体にわたって維持することができる特性を有するがゆえに、常設のテンショナを必要とすることなく機能することができる弾性または「はめ込み」ベルトなど、取り付け時に引っ張りを加える必要があるベルトの取り付けに関する。
【０００３】
例えば出願ＥＰ  ０  ８３１  ２４７、ＦＲ  ２  ８５５  ７７７、またはＷＯ  ０２／３６９８７に記載の取り付けツールなど、種々のさまざまな種類の取り付けツールが、すでに知られている。
【０００４】
そのようなツールは、原理的に、プーリのリブを越えてベルトを案内する必要があるため、プーリの外部に位置するという特徴を共有しており、その場合に、ツールがプーリの両側に重なり（ＦＲ  ２  ８５５  ７７７）、あるいはプーリの片側に重なり（ＥＰ  ０  ８３１  ２４７またはＷＯ  ０２／３６９８７）、かなりの横方向のオフセットを伴う。出願ＥＰ  ０  ８３１  ２４７においては、ツールが、プーリのリブの各側およびプーリの側面に位置する出っ張りに当接し、引っ張りが、レバーの助けによって、ベルトを平坦に保持しつつ、かつ斜面の効果による案内を利用しつつ行われる。出願ＷＯ  ０２／３６９８７においては、ベルトがツール上に平坦に位置し、ツールによって横方向に案内され、やはりベルトの依然として自由な部分をらせんを形成することによってプーリの側面から離れて位置させる必要がある。
【発明の概要】
【発明が解決しようとする課題】
【０００５】
本発明の目的は、随意によりプーリに一体化させることが可能であり、コンパクトでありながら取り付けを容易にする取り付けツールの新規な設計を提供することにある。
【課題を解決するための手段】
【０００６】
したがって、本発明は、伝達システムのプーリのリブ付き溝にベルトを取り付けるためのツールであって、取り付けの際にベルトの外側の側面を反対側の内側の側面よりも持ち上げることによってベルトのリブの少なくとも一部分のための当接面を形成するように機能する捕捉エッジを呈するノーズ領域を呈していることを特徴とするツールを提供する。好都合には、捕捉エッジが、半径方向（α＝０）に配置され、あるいは捕捉エッジの根元を通過するプーリの半径に対して角度αを形成し、この角度αが、プーリの軸に垂直な平面内で測定され、６０°以下、さらに具体的には３０°〜４５°の範囲にある。
【０００７】
取り付けの際に、ベルトがノーズ領域によって引きずられることで、ベルトに力が伝達される一方で、ノーズ領域に接するベルトの側面がベルトの反対側の側面に比べて持ち上げられるがゆえにベルトに傾きが生じ、結果として、依然として自由であるベルトの垂れ下がったストランドがプーリの側面のきわめて近くを逃げることができる。
【０００８】
ノーズ領域の捕捉エッジは、平坦な頂点を呈することができ、随意により上流および下流の凸状のエッジを各側に備えることができ、あるいは凸状の外形を呈することができる。
【０００９】
好ましくは、捕捉エッジは、プーリのリブ付き溝のリムを越えては延びない。
【００１０】
ノーズ領域の捕捉エッジは、プーリのリブ付き溝の幅以上の有効高さＨを有することができるが、この幅は、プーリへと取り付けられるベルトの幅にほぼ等しい。
【００１１】
好都合には、ノーズ領域の捕捉エッジが、根元において、プーリのリブ付き溝の前記エッジから低下する異形の離脱領域によって延長される。
【００１２】
そのような状況において、好都合には、ノーズ領域の捕捉エッジおよび離脱領域が、プーリのリブ付き溝の幅Ｌ以上の有効長さＨ’を有する。
【００１３】
好都合には、前記異形の離脱領域が、プーリの半径に対してこの半径およびプーリの軸を含む第１の平面において角度β１を形成するほぼ平坦または凸状の領域を呈しており、この角度β１が、とくには３０°〜６０°の範囲にある。
【００１４】
離脱領域は、少なくとも凸状の上流および／または下流エッジを呈することができる。
【００１５】
好ましくは、ノーズ領域および異形の離脱領域が、ほぼ平坦、凹状、または凸状の接続領域を呈する。
【００１６】
好都合には、捕捉エッジの上流のツールが、プーリのリブ付き溝の前記エッジの一部分に沿って延びる真っ直ぐまたは斜めの低い案内壁を呈する。ノーズ領域が、この低い案内壁を含むことができる。
【００１７】
好都合には、異形の離脱領域が、取り付けの際にベルトの外側の側面に接触してベルトの滑りを防止する横方向の迫台を自由端に呈する。
【００１８】
ツールは、プーリとは別個であってよく、その場合には、プーリの側面に当接する側面を有する。さらに、プーリの溝に当接する底面と、少なくとも前記捕捉エッジにおいてベルトが当接し、おそらくはその上流および／または下流においてもベルトが当接する上面とを呈する領域を有することができる。下部の当接する底面は、好ましくは、前記プーリのリブ付き溝と対をなす外形を呈する。
【００１９】
好ましくは、ツールが前記プーリに一体化される。
【００２０】
その場合、ツールは、プーリに一体化されており、該プーリが、該プーリの前記横領域よりも小さい面積であり、該プーリの外形の内側に内接させられるオフセットされた横領域を呈しており、該オフセットされた横領域が、前記ノーズ領域の下流においてベルトの垂れ下がるストランドを受けることができるようにする高くされた外エッジを呈することを特徴とする。
【００２１】
ツールは、前記プーリに一体化されており、該プーリが、該プーリの前記横エッジの面積よりも小さい面積であり、該プーリの外形の内側に内接させられるオフセットされた横領域、とくには円柱形の領域を呈しており、当該ツールが、プーリのリブ付き溝の前記エッジの一部分に沿って延びる低い案内壁を形成する第１の要素と、前記捕捉エッジおよび前記異形の離脱領域を形成する第２の要素とを備えており、少なくとも前記第２の要素が、前記オフセットされた横領域によって保持され、その傍らを延びる横案内ゾーンを有することを特徴としてもよい。
【００２２】
そのような状態において、ツールは、前記離脱領域が、プーリのリブ付き溝と半径方向における高さがほぼ同じである上流の第１の領域と、該上流の領域を前記オフセットされた横領域に接続する中間の第２の領域とを呈することを特徴とすることができる。
【００２３】
本発明を、添付の図面を参照しつつ以下の説明を検討することによって、よりよく理解することができる。
【図面の簡単な説明】
【００２４】
【図１ａ−１ｂ】図１ａおよび図１ｂは、プーリに一体化され、ノーズ領域を呈しているツールの実施形態の一部分の正面図および断面図である。
【図１ｃ】図１ｃは、取り付けられるときのベルトの配置を断面にて示している。
【図１ｄ−１ｅ】図１ｄおよび図１ｅは、捕捉エッジの２つの形状を示す２つの正中断面を構成している。
【図２ａ−２ｂ】図２ａおよび図２ｂは、ノーズ領域を呈する一体型のツールの別の実施形態の２つの斜視図である。
【図２ｃ】図２ｃは、角度αがどのように定められるのかを示している。
【図３】図３は、２つのプーリを備える簡単な伝達装置に取り付けられる本発明のベルトを示している。
【図４ａ−４ｂ】図４ａおよび図４ｂは、ノーズ領域および離脱領域を組み合わせている本発明の実施形態の２つの斜視図である。
【図４ｃ】図４ｃは、角度β１がどのように定められるのかを示している。
【図５ａ−５ｂ】図５ａおよび図５ｂは、ノーズ領域および離脱領域を組み合わせている本発明の実施形態の一変種を斜視図にて示している。
【図６ａ−６ｂ】図６ａおよび図６ｂは、ノーズ領域および離脱領域を組み合わせている本発明の実施形態の一変種を斜視図にて示している。
【図６ｃ】図６ｃは、図６ａおよび図６ｂについて高さＨ’がどのように定められるのかを示している。
【図７ａ−７ｂ】図７ａおよび図７ｂは、ノーズ領域および離脱領域を組み合わせている本発明の実施形態の一変種を斜視図にて示している。
【図７ｃ】図７ｃは、図７ａおよび図７ｂについて高さＨ’がどのように定められるのかを示している。
【図８ａ−８ｂ】図８ａおよび図８ｂは、プーリの側面の面積よりも小さい面積のオフセット領域を呈しているプーリに合わせられた本発明の一変種の斜視図および側面図である。
【図８ｃ】図８ｃは、図８ａおよび図８ｂについて高さＨ’がどのように定められるのかを示している。
【図９ａ−９ｂ】図９ａおよび図９ｂは、プーリの側面の面積よりも小さい面積のオフセット領域を呈しているプーリに合わせられた本発明の一変種の斜視図および側面図である。
【図１０】図１０は、ノーズ領域の捕捉エッジが滑り止めの横迫台を呈している本発明の一変種を示している。
【図１１ａ】図１１ａは、プーリに取り付けられるように構成された別途のツールの好ましい変種の斜視図である。
【図１１ｂ−１１ｃ】図１１ｂおよび図１１ｃは、プーリに取り付けられた図１１ａのツールの２つの斜視図である。
【図１２】図１２は、図１１ａ〜図１１ｃのツールの簡単化された変種を示している。
【発明を実施するための形態】
【００２５】
図１ａが、２つの側面または側面２および３と、中心軸４と、ベルト（例えば、自動車のＫ型伝達ベルト）のリブを受け入れるために適した幅Ｌのリブ付き溝５とを有するプーリ１を示している。
【００２６】
リブ付き溝５が、２つのリム６および７の間に位置しており、一方のリム６が、半径方向の捕捉ゾーン（図１ａおよび図１ｄ）を形成するように配置された捕捉エッジ１１を呈しているノーズ領域１０を呈している。捕捉エッジ１１は、プーリ１の半径１２および軸を含む平面内に位置し、かつ丸みを帯びた形状の上流および下流領域１１２および１１３の間に位置しているピーク領域１１１を呈しており、あるいは半径方向を向いた凸状の外形（図１ｅ）を呈しており、すなわち半径１２に平行かつ捕捉ゾーン１１（図１ａ）のピークを通過する母線を有する表面あるいは凹状または凸状の母線を呈する表面を有している。図１ｂにおいて、捕捉エッジ１１が、リム６を超えて延びているわけではないことを、見て取ることができる。この例では、外側の面１０１が、リム６の外側の面６１と同一面で終わっている。
【００２７】
一般に、ベルト２０のリブ２５および側面２３、２４が、それらの経路において鋭いエッジに遭遇することがないようにすることが適切であり、したがって外形を丸みを持たせることが望ましいことに、注意すべきである。
【００２８】
捕捉エッジ１１は、好ましくはリブ付き溝５の幅Ｌ（ベルトの幅ｌにほぼ等しい）に等しい高さＨ（図１ｃ）を呈し、外側の側面２３を内側の側面２４よりも持ち上げることによってベルト２０のリブ２５を受けるための充分な有効当接長（破線１４）を呈することを可能にする。
【００２９】
実際に、その位置に鑑み、捕捉エッジ１１が、ベルト２０が横にずれることがないようにする。
【００３０】
しかしながら、捕捉エッジ１１の上流においては、ノーズ領域１０が、ベルト２０の取り付けの際に溝５にはめ込まれるベルト２０のための低い横案内壁を構成するように、リム６に沿って延びる真っ直ぐまたは斜めの平らな側面１５（図６ａおよび図７ａも参照のこと）を呈することが好都合である。
【００３１】
後方に向かっては、ノーズ領域１０の上面が、リム６に合流する漸進的な外形１４を後方に向かって呈することができる。この漸進的な外形は、良好な機械的強度をもたらしつつ、ノーズ領域１０が過度に重くなることがないようにし、結果として生じる不釣り合いが大きくなりすぎないようにする。
【００３２】
図２ａおよび図２ｂは、捕捉ゾーン１１がもはや半径方向ではなく、半径１２（この場合には、捕捉エッジ１１の根元を通過する）を含みかつプーリの軸に対して垂直である平面内で角度αだけ半径１２に対して傾けられている変種を示している。この角度αは、通常は、８０°未満の値を有するように指定され、とくには６０°未満の値を有するように指定され、好ましくは３０°〜４５°の範囲にあり、図２ｃにおいて有効高さＨ’として示されている。好ましくは、Ｈ’≧Ｌである。凹状または凸状の形状（破線による母線１１’または１１’’）においては、角度αが、捕捉エッジ１１の根元および頂上に位置する端点ＡおよびＢの間で定義される。図示の凹状または凸状の形状が、張力の作用のもとでのエッジ１１に沿った外へのベルトの滑りの観点から好ましいことに、注意すべきである。平たい側面１５を、外へと向いており、ベルトの適切な案内を可能にする領域１６（図２ｂ）を介して、捕捉エッジ１１へとつなげることができる。
【００３３】
図３が、ただ２つのプーリ１および１’を備える例示のための簡単な伝達システムに取り付けられるベルト２０を示している。ベルトが、プーリ１’に取り付けられ、さらにリブ付き溝５および捕捉エッジ１１に、プーリ１の側面２を横切って延びる垂れ下がったストランド２１を下流に（取り付け方向に）呈するように、仮に配置されている。
【００３４】
プーリ１を方向Ｆの方向に回転させることによって、外側の側面２３が内側の側面２４よりも持ち上げられているベルト２０が、ベルト２０のゾーン２２のリブ２５の少なくとも一部と接触する捕捉エッジ１１によって押されるため、ベルト２０がプーリの溝５に徐々にはまり込む。プーリ１を矢印Ｆの方向に回転させ続けることで、ベルト２０が、徐々に引っ張られつつ、プーリ１の溝５にはまり込む。
【００３５】
ベルトを捕捉エッジ１１を巡ってねじることによって得られる垂れ下がったストランド２１をより容易に配置できるようにするために、溝５の高いリム６から離れて低下する異形の離脱領域３０を、ノーズ領域１０の捕捉エッジ１１から下流に設けることが、好都合である（図４ａおよび図４ｂを参照）。この離脱領域３０は、図４ａおよび図４ｂに示されるように平坦であってよく、上流の曲線状の外形３１（参照番号３２が、下流の曲線状の外形を指している）の中心Ｃを通過する半径１３に対して角度β１を形成することができ、この角度β１が、例えば３０°〜６０°の範囲にある。９０°に等しい角度β１が、傾斜のない形状に相当すると考えられる一方で、ゼロという角度が、垂直な離脱形状に相当すると考えられる。この角度β１は、半径１３およびプーリ１の軸を含む平面において測定され、外に向かって正であるように測定される（図４ｃ）。平坦な離脱領域３０については、角度が、セグメント（３２，Ｃ）と半径１３との間で測定される。
【００３６】
離脱領域３０は、凸状であってよく、その場合には、β１は、やはり半径１３とセグメント（３２，Ｃ）との間の角度として、図４ｃに示されるように決定される。
【００３７】
離脱領域３０は、凸状の上流側エッジ３１および／または下流側エッジ３２を呈することができる。
【００３８】
後述のように、領域３０の存在が、領域２２のベルト２０のリブの有用な当接領域の延長を可能にし（したがって、ノーズ領域１０の高さを減らすことが可能になる）、有効接触高さＨ’を、溝５の幅以上になるように好都合に選択することができる。この例（図４ａ）においては、α＝０°であるが、角度αについて、他の何らかの特定の値も実現可能であることに、注意すべきである。
【００３９】
図５ａおよび図５ｂが、この例においては丸みを帯びた形状である捕捉エッジ１１を巡るベルト２０の垂れ下がったストランド２１の案内を改善するために、捕捉エッジ１１の上流かつ離脱領域３０の傍ら１７に外へと向けられた凸状の外形１６を呈しているノーズ領域１０を示している。外へと傾斜している低い案内壁１８も、ベルト２０の運動に随伴する目的のために捕捉エッジ１１から充分に離して設けることができる。この例においては、α＝０°であるが、角度αについて、任意の他の特定の値も実現可能であることに、注意すべきである。
【００４０】
プーリ１を矢印Ｆの方向に回転させることで、ベルトのゾーン２２が捕捉エッジ１１へと押し付けられるため、低い案内壁１８は、実際には、補助的な機能しか果たさない。
【００４１】
図６ａおよび図６ｂの好ましい変種においては、平坦、凹状、または凸状の移行領域３５が、捕捉エッジ１１と異形の離脱領域３０との間に存在し、ベルトを徐々に案内することを可能にしている。この変種においては、捕捉エッジ１１が、好ましくは３０°〜４５°の範囲にある６０°未満の非ゼロの角度αで傾けられている。有効長Ｈ’（好ましくは、Ｈ’≧Ｌ）が、図６ｃに示されている。有効長Ｈ’が、ピーク領域１１および移行領域３５を包含することを、見て取ることができる。
【００４２】
図７ａおよび図７ｂが、凹状の接続ゾーン６３を介して捕捉エッジ１１につながる円錐台形状の低下したエッジ６１を呈しているプーリ１が別の変種を示している（０≦α＜６０°であり、αは好ましくは３０°〜４５°の範囲にある）。有効長Ｈ’が、捕捉エッジ１１の頂上１１１および円錐台形状のエッジ６１の端部６４までの接続ゾーン６２を包含しており（図７ｃを参照）、有効長Ｈ’は、好ましくはベルト２０の幅ｌ以上である。
【００４３】
図８ａおよび図８ｂが、プーリに一体化され、プーリの横エッジの面積よりも小さい面積であり、とくにはプーリ１の溝５の直径よりも小さい中間的な直径であるオフセット領域７２を呈しているツールを示している。
【００４４】
ノーズ領域１１０が、プーリ１の溝５に隣接かつプーリ１の溝５の上方に位置する低い案内壁１２０の内側の側面１２１から下流へと外方向にベルト２０を案内するほぼ平坦な上流領域１０１を有するＪ字形の外形を呈している別個の要素である。
【００４５】
取り付けの際に、ベルト２０の外側の側面２３が、内側のエッジ１２１および内側のエッジ１２１に連続して位置する領域１０１に沿って延び、円弧状の領域１１４において下流に向きを変え、捕捉エッジ１１１に達する。ベルト２０は、上流領域１０１に隣接し、半径方向においてリブ付き溝５とほぼ同じ高さに位置している平坦または凸状の領域１１５に当接する。次いで、ベルトは、平坦または凸状の中間領域１１６によって案内され、随意により中間領域７２の出っ張り７３と側面７５との間に位置する円柱形の領域７２１によってもたらされる丸みを帯びた部位７４に沿って滑る。
【００４６】
領域１０１を捕捉ゾーン１１１へと接続する円弧状の領域１１４が、図３に示したやり方で実行される取り付けの際に、ベルト２０の回転が伴うことを可能にする。
【００４７】
捕捉エッジ１１１および領域１１６を領域１１６のふもと１１７まで包含する有効長Ｈ’（好ましくは、ｌ以上である）を考慮しなければならない。これは、ノーズ領域１１０の有効高さを減らすように機能する。図示の例では、α＝０であるが、この角度は、６０°未満、好ましくは３０°〜４５°に範囲にある非ゼロの値を呈することができる。
【００４８】
図示の実施形態においては、各々が互いの連続である２つの別個の要素１１０および１２０が存在するが、これらをただ１つの要素を形成するように一体化させてもよい。しかしながら、そのような策は、いかなる特段の機能的利点を呈することなく、重量および不釣り合いを増やしかねない。
【００４９】
図９ａおよび図９ｂは、オフセット領域を有するプーリの別の実施形態を示している。
【００５０】
ツールが、図１ａ、図１ｂ；図２ａ、図２ｂ；図４ａ、図４ｂ；図５ａ、図５ｂ；図６ａ、図６ｂ；または図７ａ、図７ｂに示したようなノーズ領域１０と、おそらくは離脱領域３０とを呈しており、オフセット領域７２が、側面７５を延長し、ベルトをプーリの主たる側面６に当接させて領域７２の外形に保持することを可能にしている低い壁７６を呈している。
【００５１】
オフセット領域７２が、直線領域と丸みを帯びた領域とを交互に有する図示のような三角形の形状であってよく、あるいは他の何らかの外形（例えば、図８ａおよび図８ｂに示されているような円柱形）を有することができることに、注意すべきである。
【００５２】
上述のツールは、該当のプーリに一体化されている。まさにその設計ゆえに、中心からずれた重量が生じ、不釣り合いが生じる。特定の変種は、ノーズ領域の高さの削減を可能にすることで、不釣り合いを減少させる。不釣り合いを、フライウエイトおよび／または局所的な開口を設けることによって補償することができ、あるいは図２ａおよび図２ｂならびに図５ａおよび図５ｂのように対称に配置された２つのツールを有することによって、補償することができる。
【００５３】
そのようなツールを金属製のプーリよりもはるかに軽い熱硬化性材料のプーリに取り入れることが、とくに好都合である。そのような状況においては、ツールに起因する不釣り合いを、通常は無視できると考えることができ、補償が不要である。
【００５４】
角度αの値は、張力の作用のもとでのエッジ１１に沿ったベルトの外への滑りによって限定される。この滑りは、ベルトの取り付けの張力が増すにつれて大きくなる。したがって、自動車のＫ型ベルトにおいては、例えば家庭の電気器具のベルト（洗濯機）の場合よりもはるかに大きい。角度αの値を、捕捉エッジ１１の上端に高さｈ（例えば、ｈ＝ｈ０であり、ここでｈ０はベルト２０の高さである）の迫台９０を配置して、ベルト２０の外側の側面２３を保持することによって増すことができる（図１０を参照）。
【００５５】
図１１ａ〜図１１ｃは、例えばプラスチック材料または金属で製作され、プーリから独立であってよいツールに関する。このツールは、図１ａ、図１ｂ；図２ａ、図２ｂ；図４ａ、図４ｂ；図５ａ、図５ｂ；図６ａ、図６ｂ；または図７ａ、図７ｂに関して説明したようなノーズ領域１０と、おそらくは離脱領域３０とを備えることができる。溝５のリブ付きの形状と対をなすリブ付きの形状８０と、好ましくはノーズ領域１０を保持するエッジにおいてプーリ１の側面６に当接するエッジ８１とによって、プーリ１の溝５に取り付けられる。エッジ８１が、取り付けの際にツールが傾くことを防止する。
【００５６】
取り付けの際に、ベルトが徐々に引っ張られ、ベルトのリブを受け止める上面８２に当接することによって、ツールが動かぬように保持される。取り付けが、図３に示されるとおりに行われ、その後にツールを取り除くことができる。
【００５７】
ベルトが当接する上面８２は、好都合には、ノーズ領域１０を収容する上流のエッジ８３から延びる外形を呈し、この外形は、少なくとも捕捉エッジ１１に合わせて位置し、エッジ８４が、捕捉エッジ１１を巡るねじりの運動の際にベルト２０に支持点をもたらすために充分な長さにわたって、捕捉エッジ１１のふもとを超えて延びている。
【００５８】
上面８２の外形は、好都合には、プーリ１の溝５のリブとほぼ同じ高さに位置する上流側のエッジ８３から、ツールが取り付けの力に耐えるための強度を有することができるように充分な厚さをもたらすべく高くされている下流側のエッジ８４まで、漸進的である。
【００５９】
図１２は、リブ付きの外形８０が存在せず、プーリのリブ付き溝５に当接する凹状の当接面８５によって置き換えられている点で相違する図１１ａ〜図１１ｃの簡単化された変種を示している。凹状の当接面８５は、プーリ１の側面６に当接するエッジ８１を定めるために、当接面８５の側方に沿って延びている溝８６を有している。エッジ８１および溝８６が、取り付け時のツールの傾きを防止するように機能する。
【図１ａ−１ｂ】
2012514719.tif 000003
【図１ｃ】
2012514719.tif 000004
【図１ｄ−１ｅ】
2012514719.tif 000005
【図２ａ−２ｂ】
2012514719.tif 000006
【図２ｃ】
2012514719.tif 000007
【図３】
2012514719.tif 000008
【図４ａ−４ｂ】
2012514719.tif 000009
【図４ｃ】
2012514719.tif 000010
【図５ａ−５ｂ】
2012514719.tif 000011
【図６ａ−６ｂ】
2012514719.tif 000012
【図６ｃ】
2012514719.tif 000013
【図７ａ−７ｂ】
2012514719.tif 000014
【図７ｃ】
2012514719.tif 000015
【図８ａ−８ｂ】
2012514719.tif 000016
【図８ｃ】
2012514719.tif 000017
【図９ａ−９ｂ】
2012514719.tif 000018
【図１０】
2012514719.tif 000019
【図１１ａ】
2012514719.tif 000020
【図１１ｂ−１１ｃ】
2012514719.tif 000021
【図１２】
2012514719.tif 000022
【国際調査報告】
2012514719.tif 000023
2012514719.tif 000024
2012514719.tif 000025
2012514719.tif 000026
2012514719.tif 000027
2012514719.tif 000028